(57)【要約】【課題】本発明は、水道管吐水口部に取り付けることができ、吐水、止水等を調節できる水栓装置に関するものである。【解決手段】受水口と吐水口を開口し、吐水口を開閉できる曲面を有する開閉栓を内部に遊挿したカプセル体と、このカプセル体の吐水口の近傍に手を位置させると操作桿が開閉栓を動かして吐水口を開放方向に作動させる作動機構体とからなることを特徴とする水栓装置。【選択図】図１
2009046951.tif 000002
【特許請求の範囲】
【請求項１】
水道管吐水口部に取り付けることができ、受水口と吐水口を開口し、吐水口を開閉できる曲面を有する開閉栓を内部に遊挿したカプセル体と、このカプセル体の吐水口の近傍に手を位置させると操作桿が開閉栓を動かして吐水口を開放方向に作動させる作動機構体とからなることを特徴とする水栓装置。
【請求項２】
吐水口を開放状態に維持できる作動装置と、最大流水量を調整できる作動装置を前記作動機構体に設けたことを特徴とする請求項１記載の水栓装置。
【発明の詳細な説明】
【技術分野】
【０００１】  本発明は、水道管吐水口部に取り付けできて吐水、止水等を調節できる水栓装置に関する。
【背景技術】
【０００２】  従来の水道管は、水栓ハンドルから水道管内部に挿入された栓棒を上下すると水道管が開閉して吐水、止水する。栓棒はネジ構造で水道管内部と噛み合い、水栓ハンドルを手で回転すると栓棒が回転して上下する構造である。【０００３】  なお、足踏み式で水栓を開閉するタイプがある。また、電気で使用者を感知する自動水栓タイプは水道管吐水口部や水栓ハンドル部に取り付けたり、水道管水栓全体を交換したりするもので、大変便利であるが広く一般に普及するに至っていないのは、高価且つ構造が複雑等によるものと思われる。
【特許文献１】特許公開２００３−１３８６１５
【発明の開示】
【発明が解決しようとする課題】
【０００４】  その為に、次のような問題点があった。
従来の水栓での水作業では、一旦吐水したらそのまま最後まで吐水しっ放しで行われがちで、その吐水量も必要量より多めに出しすぎの傾向が強く、これらの多くは無駄な吐水である。【０００５】  水の無駄使いの原因を構造面から見れば、
（イ）もともと水栓ハンドルは水栓開閉機能と吐水量調整機能を併せ持ち、こまめに水栓ハンドルを操作しなければならない仕組みになっている。
（ロ）水栓ハンドルが設けられた位置は使用者が水作業をする吐水口先にはなく、少しだけだが離れている。
（ハ）水栓ハンドルは、いちいち回転しなければならない。
（ニ）現在の水栓構造は外部から目視できるのは水栓ハンドルくらいで、殆どの部材は水道管内に納められていて、使用部材や構造は使用者には理解しがたいブラックボックス化されている。また、最大流水量が調整できないので、多めの吐水状態になってもつい放置してしまう。【０００６】  次に、使用面から見れば、
（イ）水栓ハンドルと吐水口がさして離れていなくても、使用者にとり水作業中にいちいち操作するのが面倒で、つい吐水しっ放しで作業してしまう。
（ロ）水栓ハンドルをいちいち回転するのが煩わしく、高齢者や子供などには回転が重労働な場合も多い。さらに使用者によっては強く回転しすぎて部品や装置の破損や過度の消耗を引き起して漏水の原因を作ってしまう。
（ハ）最大流水量調整の仕組みが分かっていても、部品調達や工具操作や元栓操作などが非常に面倒くさいので、余りやりたがらない。【０００７】  以上から導き出される課題は、以下のようになる。
（イ）「こまめに栓を閉めよう」と言われるような従来の使用習慣をやめて「必要な時に栓を開ける」習慣に転換できること。
（ロ）子供や高齢者等の動作が緩慢な人や、乱暴に出しっ放しで利用している人も、無駄な流し放しを無意識のうちになくせること。
（ハ）子供や高齢者等が力を入れなくても楽に水栓操作ができ、力の入れすぎによる部品や装置破損をなくせること。
（ニ）いちいち水栓ハンドル場所に手を動かしたり、ハンドルを回転したりする面倒な作業を無くし、単純な動作で水作業ができること。
（ホ）構造や部品が単純で、組み立ても取り付けも簡単で誰にも仕組みが理解でき、修理も元栓操作や特殊な器具を要せずに手間や暇もかけずに容易にできること。
（ヘ）最大流水量を調整するために、元栓を操作することなく、簡単にできること。
（ト）上記の各課題の解決とともに安価で性能が良く、誰もが使い易い簡単な構造の水栓を実現すること。
本発明は、これらの問題点を解決するためになされたものである。
【課題を解決するための手段】
【０００８】  上記の問題点を解決する為に、水道管吐水口部に取り付けることができ、受水口と吐水口を開口し、吐水口を開閉できる曲面を有する開閉栓を内部に遊挿したカプセル体と、このカプセル体の吐水口の近傍に手を位置させると操作桿が開閉栓を動かして吐水口を開放方向に作動させる作動機構体とからなる。以上を特徴とする水栓装置である。
【発明の効果】
【０００９】  本発明は
（イ）常時、開閉栓が吐水口にはまり込み、自動的に止水状態になる仕組みであり、この止水状態は外部からの力が働いて開閉栓が動くまで続く。
（ロ）操作桿の振り子運動という小さな動作をするだけで開閉栓を吐水口から動かして吐水などができる。
（ハ）吐水口近傍という、ごく狭い範囲で操作桿を操作するだけで開閉栓を吐水口から動かして吐水などができる。
（ニ）水作業が中止や中断や完了した時に瞬時に自動的に止水状態に戻る。
（ホ）操作桿は誰にでも等しく、ほんの少しの力で操作できる。
（ヘ）元栓を操作することなく簡単に最大流水量を調整できる。
（ト）仕組みが単純で、外部から全てが目視できる。【００１０】  本発明は、以上のように構成されており、以下のような効果が得られる。
（イ）使用者が水作業をやめ、手を吐水口近傍から引けば自動的に止水する構造にしたので、如何なる使用者にも水の流しっ放し状況が生じることは皆無となり、無駄な吐水が大幅に減少する。
（ロ）いちいち水栓ハンドルの場所まで手を動かして、且つ水栓ハンドルを回転する煩わしい作業を全く不要とし、水栓操作は手で水作業を行いながら吐水口付近で操作桿を振り子運動するだけなので、高齢者や子供をはじめ病人や手の障害者や緩慢な動作の使用者等による水の浪費を大幅に改善する。
（ハ）最大流水量の調整を簡単に出来るようにしたので、過度の吐水による無駄遣いが防げる。
（ニ）水栓構造が簡単で誰でも仕組みが理解でき、部品も単純なので、修理も簡単に出来る。
（ホ）開閉栓自身で止水するので、水栓ハンドルを強く回転して止水する既存方式に比して使用部材の消耗が少ない。
（ヘ）水道管があれば、どこでも簡単に取り付けでき、直ちに使える。
（ト）頻繁に水を出したり止めたり、多人数が継続して使用する場合等には特に大きな節水効果と使用時間の大幅短縮効果が得られる。
（チ）水作業の最後に、いちいち水栓ハンドルに触れる必要がないので清潔である。
（リ）部品の材質はごく普通のものを使用し、特殊で高価な部品が無く、安く生産でき、安価で供給できる。
【発明を実施するための最良の形態】
【００１１】  以下、本発明の実施の形態について説明する。【００１２】（イ）受水、吐水、止水等を行う容器として水道管吐水口１に取り付けできるカプセル体２を設ける。
（ロ）カプセル体２に水道管吐水口１から受水する受水口３と、吐水や止水等ができる吐水口４を設ける。
（ハ）カプセル体２の外壁の受水口３の周囲に、カプセル体２を水道管吐水口１に水漏れせずに確実に接続することを目的としてカプセル着脱具５を設ける。また、カプセル体２の外壁の吐水口４の周囲に吐水の四散防止等を目的として吐水口４と同じ内径の短い円筒形をした吐水管６を設ける。【００１３】（イ）カプセル体２内に開閉栓７を遊挿する。開閉栓７は円球の形状をして吐水口４の径よりやや大きめの径を有し常時吐水口４に嵌り込み止水する。
（ロ）カプセル体２の内壁は水が流れ易い構造とし、急傾斜面Ａ８をカプセル体２内の中ほどの高さから吐水口４に向かって下って設け、急傾斜面Ａ８は水を流れ易くしながら開閉栓７を吐水口４に嵌め込む。
（ハ）開閉栓７はカプセル体２内に水が無い状態でも、その自重や形状や急傾斜面Ａ８により、また受水した時には水流と水圧が加わり、カプセル体２の外部から操作しなくてもほぼ瞬時に自動的に吐水口４に嵌まり込み止水する。開閉栓７は吐水口４から動かすことが出来れば、吐水口４との間に隙間が生じて吐水するので、カプセル体２の外部から開閉栓７の操作が容易にできるように吐水口４をできるだけカプセル体２の外周部に配置する。【００１４】  作動機構体Ａ９は、開閉栓７を操作して吐水や止水等をする作動部品や装置を組み合わせて収納した容器で、カプセル体２に連接し、その中身は容易に目視でき、その仕組みは誰にも簡単に理解できる。【００１５】（イ）作動機構体Ａ９の中のカプセル体２側の側壁上部に先端部の一方が固定され、そこから横に突き出た棒状の操作桿支持棒Ａ１０のもう一方の先端部において屈曲可動材Ａ１１で接合され、そこからまっすぐ垂直に下方に伸びて作動機構体Ａ９の底壁を突き出て、吐水口４の近傍に先端部が至る操作桿Ａ１２を設ける。屈曲可動材は部品同士を接合し、接合された部品がその接合点を支点にして振り子運動ができる蝶番のような接合部材を言う。
（ロ）操作桿Ａ１２はその先端部が位置する吐水口４の近傍というごく限定された場所で、操作桿Ａ１２に手を触れて屈曲可動材Ａ１１を支点にして押したり引いたりの振り子運動をするだけで、カプセル体２の中に遊挿した開閉栓７に接触し、上下運動させて吐水や止水などの水栓機能を行う。操作桿Ａ１２は誰にでも等しく、ほんの少しの力で操作できる。操作桿Ａ１２の先端部には手で容易に折り曲げなどの変形ができる操作自在管Ａ１３を設け、使用者が複数の場合や水作業内容が変化した場合でも簡単に手に触れる位置や角度などを調整できる。また操作自在管Ａ１３の先端部には円球等を設けて手に対する安全で快適な接触を確保する。操作桿Ａ１２から手を離すと操作桿バネ１４により常に垂直状態に戻る、即ち開閉栓７を操作しない状態に戻り開閉栓７が自動的に止水口に戻って嵌りこみ、止水状態になる。
（ハ）作動機構体Ａ９内において、操作桿Ａ１２に、上から順に流水量桿１５と中継桿１６と流放桿１７の３本の桿をカプセル体２の方向に向けて設ける。即ち、３本の桿は操作桿Ａ１２から出た枝のように上から順に並ぶ。【００１６】（イ）流水量桿１５は棒状で、先端部の一方を操作桿Ａ１２に屈曲可動材Ｂ１８で接合し、もう一方の先端部は作動機構体Ａ９のカプセル体２側の側壁にあけた流水量桿穴１９に挿入され、その中で自由にピストン運動する。
（ロ）流水量桿１５は操作桿Ａ１２の振り子運動により同じ方向に動く。
（ハ）流水量桿１５は操作桿Ａ１２を最大限に押せる位置、即ち最大流水量ポイントを固定する。
（ニ）流水量桿ネジ２０は流水量桿１５に刻んだネジ山に設けたボルト状の回転物で、作動機構体Ａ９の使用者側の外壁に設けた流水量桿窓Ａ２１から姿を出しており、外部から直接接触して回転することができる。【００１７】（イ）中継桿１６は横方向からは１本の棒に見えるが、上方向から見て操作桿Ａ１２の方から順に、長方形の枠体をした金属枠２２と枝管２３が結合して構成された物の総称である。金属枠２２の長方形の短辺の一方は操作桿Ａ１２に設けられた貫通孔２４に挿入され、そこを支点にして上下に振れ動くことができ、もう一方の短辺は長方形の他の３辺より太い金属でできた丸管２５からなる。枝管２３は丸管２５の中央部から外側にＴ字形に突き出た棒状をし、作動機構体Ａ９のカプセル体２側の側壁にあけた枝管穴Ａ２６に挿入され、その中で自由にピストン運動する。
（ロ）中継桿１６は操作桿Ａ１２の振り子運動により同じ方向に動く。
（ハ）中継桿１６は操作桿Ａ１２が開閉栓７を操作するための中継装置である。【００１８】（イ）流放桿１７は棒状をし、先端部の一方を操作桿Ａ１２に屈曲可動材Ｃ２７で接合し、もう一方の先端部は作動機構体Ａ９のカプセル体２側の側壁にあけた流放桿穴２８に挿入され、その中で自由にピストン運動する。
（ロ）流放桿１７は操作桿Ａ１２の振り子運動により同じ方向に動く。
（ハ）流放桿１７は意図的に流し放し状態にしたい流水量に流放桿１７を固定する、即ち操作桿Ａ１２の振り子運動を一時停止状態にする。
（ニ）流放桿つまみＡ２９は流放桿１７から水平に短く突き出て、中ほどで９０度に上にも下にも折り曲げでき、先端に円球等を設けた棒状をし作動機構体Ａ９の使用者側の外壁に設けた流放桿窓Ａ３０の外に飛び出ていて外部から直接接触して折り曲げることができる。その窓の外壁の上下の縁に流放桿固定釘Ａ３１を各々１列づつ、上下の釘の位置を交互にずらして設ける。
（ホ）流水量桿ネジ２０と流放桿つまみＡ２９は使用者が操作自在管Ａ１３の先端部に接触して水作業中であっても、容易に操作できる位置に設ける。【００１９】（イ）昇降桿３２は、横方向から見ると上部が水平な直線をなし、上方向から見て操作桿Ａ１２の方から順に長方形をした昇降金属３３と長い昇降金属棒３４が結合して構成されたものの総称で、操作桿Ａ１２と直接接合せずに独立して設けられた唯一の桿である。
（ロ）昇降金属３３は横方向から見るとカプセル体２側に頂点を持って横倒しになった細長い三角形をし、細長い二辺のうち一辺は昇降桿３２の上部の水平な直線の一部を構成し、細長い他の一辺は下方に垂れ下がった傾斜面をなし、全体として少し厚味のある三角形をしている。
（ハ）昇降金属棒３４の先端部の一方はどこにも固定されず作動機構体Ａ９のカプセル体２側の側壁にあけられた縦長の長方形をした昇降桿穴３５を通り、続いて吐水管６にあけられた縦長の長方形をした吐水管穴３６を通って開閉栓７の直下まで伸び、そこで真上に曲がり、その先端には開閉栓７の表面を傷つけず均等に接触する為の小さな受皿３７を設け、これが上下運動することで開閉栓７に直接接触して昇降させ、もう一方の先端部は昇降金属３３の一方の先端部である三角形の頂点部中央に固定して接続する。昇降金属棒３４は昇降桿穴３５と吐水管穴３６の中で自由に上下運動する。昇降金属３３のもう一方の先端部は、昇降桿枝管３８により操作桿Ａ１２をはさんで反対側にあたる作動機構体Ａ９の側壁に屈曲可動材Ｄ３９で接合する。
（ニ）昇降桿３２は中継桿１６のすぐ上に、殆ど接するようにして平行に配置され、昇降金属３３は金属枠２２の中にすっぽりと納まる。
（ホ）昇降桿３２は中継桿１６の動きを引き継いで開閉栓７を直接昇降する、即ち開閉栓７に接触して吐水口４との間の隙間を開閉する。【００２０】  吐水管穴３６には吐水口４からの吐水が吐水管穴３６から外部に多量にこぼれ出ないように止水板４０を設ける。止水板４０は吐水管穴３６より横幅を少し大きく、縦は吐水管穴３６の縦の長さの倍より少し長くして、吐水管６の面に合わせて加工し、吐水管穴３６を内側と外側から挟みこみ、上下に動けるように余裕を持たせてその中央部で刀のつばのように貫通した昇降金属棒３４に固定して設置する。これにより昇降金属棒３４が最大限上下運動しても、常時吐水管穴３６を覆うことができる。【００２１】  以上の使用各部材は人に無害で防錆、耐水、非水溶性等の性質と必要な強度を持ち、汚れがつきにくく掃除が簡単な材質で、人に安全な形状のものを用いる。
本発明は以上のような構成で、これを使用する時は、【００２２】（イ）水道管を閉じて止水して、カプセル着脱具５で水漏れせずに受水口３を水道管吐水口１に接続してカプセル体２を確実に取り付けた後に、水道管を開いて吐水してカプセル体２に受水する。
（ロ）カプセル体２内に遊挿した開閉栓７は、水が入っていない状態でも吐水口４に自動的に嵌まり込んでいるが、受水後は水流や水圧により一層強く密着し止水する。この状態は開閉栓７に外部から力が働いて開閉栓７と吐水口４との間に隙間が生じるまで続く。【００２３】  カプセル体２を水道管吐水口１に取り付けてから使用者が水作業を完了するまでの作業の流れを図１で説明する。
（イ）吐水口４の近傍に配置した操作自在管Ａ１３の位置や形や角度などを事前に使用者の好みの状態に調整する。
（ロ）水道管吐水口１からカプセル体２に受水する。カプセル体２に水が入っているこの状態が、この後のカプセル体２の通常の状態であり、開閉栓７は水流や水圧により一層強く吐水口４に自動的に嵌り込み、止水する。
（ハ）通常、使用者が水道管を用いて水作業をするときには、先ず左右いずれかの手を水栓に運んでハンドルを回して吐水させた後に吐水口４の近傍に手を運ぶが、本発明ではいきなり右手を吐水口４の近傍に運ぶ。即ち、そこに水栓ハンドル機能を持つ操作自在管Ａ１３を設けたからである。
（ニ）使用者の右手の甲等が操作自在管Ａ１３に無意識のうちに必然的に触れる。このときの右手の位置は通常、吐水口４の直下か、少し右側になる。
（ホ）使用者は手の甲等で操作自在管Ａ１３を右方向に押し始める。すると操作桿Ａ１２も右方向に押されて中継桿１６を右に引き始め、金属枠２２も右に移動し始める。
（ヘ）金属枠２２の丸管２５が昇降金属３３の下方に垂れ下がった傾斜面に接触し始め、傾斜面を徐々に上に押し上げる。ここまでの動きは操作自在管Ａ１３と操作桿Ａ１２の振り子運動が水平運動を経て上下運動に変換することをあらわしている。
（ト）傾斜面の押し上げが昇降桿３２を持ち上げ、その先端部の受皿３７も徐々に持ち上がり、吐水口４に嵌っていてその一部が外部から目視できる開閉栓７に直接接触して徐々に押し上げ吐水が始まる。以上、上記の（ニ）からここまでの幾つかの作業工程を述べたが、これらは殆ど同時に行われる。
（チ）開閉栓７が動くと瞬時に吐水し始めるので操作自在管Ａ１３を操作して求める吐水量を探す。操作自在管Ａ１３を押すのをやめて、手を元の方に引けば操作桿Ａ１２が自動的に元に戻り吐水量が少なくなり、もっと引くとやがて止水する。昇降金属３３の下方に垂れ下がった三角形の傾斜面が長いほど開閉栓７の昇降の動きはゆっくりとなる、即ち吐水量の増減する時間がゆっくりとなるが、その分、操作自在管Ａ１３を押す距離が長くなるので、この傾斜面の長さは使用者の好みで選択する。
（リ）水作業の途中で洗剤や歯ブラシや野菜やなべ等を扱うために一時水作業を中止する場合、あるいは水作業が完了した場合には使用者は吐水口４近傍から手を引く、即ち操作自在管Ａ１３から手を離す。すると操作桿Ａ１２は操作桿バネ１４により瞬時に自動的に未使用時の元の垂直状態に戻り、瞬時に自動的に止水する、即ち開閉栓７が瞬時に自動的に吐水口４に戻って嵌り込み止水栓の役割を再開し始める。従って本発明では不必要な水の出し放し状態は一切生じない仕組みである。これを具体的な例で述べると、洗顔作業において、本発明ではいきなり左右の手を吐水口の直下に運んで両手のひらで水を汲む格好をして構え、右手で操作桿Ａ１２を押して吐水させ、水が溜まったら両手をそのまま顔に持ってきて洗顔できる。従来の水栓では先ず手を水栓ハンドルに運び、且つハンドルを回転して吐水させてから、初めて左右の手を吐水口の直下に運び、水を溜めて洗顔することになり、この作業を何回か繰り返すが、この間、両手で水を汲んで溜めている状態なので止水できようもなく、吐水しっ放しである。しかし、本発明では水を溜めた後に洗顔のために右手が操作自在管Ａ１３から離れた時点で確実に自動的に止水できる。洗顔作業中だけでも大きな節水効果が得られるという例である。
（ヌ）本発明は従来の水栓ハンドルのように吐水場所と水栓ハンドル設置場所が別々ではなく、操作自在管Ａ１３を押す場所が、即ち吐水される場所なため作業動作に無駄がなく、その都度水栓ハンドルの場所まで手を運んたり、水栓ハンドルを回転するなどの動作を不要にし、上記（リ）のように不必要な流し放しの原因を排除した。また、操作桿Ａ１２の構造をきわめて単純にし、更に操作自在管Ａ１３を誰にも等しく少しの力で操作できる状態にすることで、栓の締めすぎによる部品の余分な磨耗や破損などが生じない仕組みとした。【００２４】  カプセル体２の最大流水量を設定するには、
（イ）操作自在管Ａ１３を目一杯押したまま水道管の水栓ハンドルを徐々に開け始め、吐水口４からの吐水量の増加状況を見ながら求める大まかな最大流水量を選び、水道管の水栓ハンドルをそのポイントのままにする。
（ロ）次に流水量桿ネジ２０で微調整して最終的な最大流水量ポイントを固定する。具体的には、操作桿Ａ１２を未使用時の垂直にした状態にして流水量桿ネジ２０を流水量桿窓Ａ２１の操作桿Ａ１２側の窓枠に密着して固定する。この状態では操作自在管Ａ１３をいくら押しても流水量桿ネジ２０が邪魔して操作桿Ａ１２が動かず、即ち吐水できない。ここで流水量桿ネジ２０を回転して操作桿Ａ１２から遠ざけてゆくと遠ざけた長さ分だけ操作自在管Ａ１３を押すことができるようになる、即ち、吐水が出来るようになる。この吐水量は流水量桿ネジ２０が操作桿Ａ１２から離れればその分だけ多量に吐水する構造であり、この長さが最大流水量である。最大流水量を少なくするにはこの距離を短くする。
（ニ）本発明は、水道管に取り付けができるので水道元栓を操作したり、水栓の中を開けて操作したりする必要がまず無く、したがって特殊な器具も知識も要せず、手間や隙もかけずに最大流水量の調整を簡単にできる仕組みとした。最大流水量を使用者がこまめに調整できるだけでも極めて大きな節水効果を実現できる。【００２５】  意図的に流し放し状態にするには、操作自在管Ａ１３を押しながら、流し放し状態にしたい流水量ポイントを探し、そこで流放桿つまみＡ２９を上か下に折り曲げて流放桿固定釘Ａ３１に引っ掛けて流放桿１７の動きを固定する、即ち操作桿Ａ１２の動きを固定する。流し放し状態を解除するときは流放桿つまみＡ２９をもとの水平の位置に戻して流放桿固定釘Ａ３１から外すと流放桿１７の固定状態が解除され、同時に操作桿Ａ１２が元の垂直状態に戻り、自動的に止水する。【００２６】  カプセル体２の内部には開閉栓７以外は一切配置せず、カプセル体２に連接して設けた作動機構体Ａ９内に必要な作動部品や装置を機能的に組み合わせ、操作桿Ａ１２も構造をきわめて簡単にし、部品が単純で誰でも仕組みが目視でき、内容が判別不明のブラックボックスをなくして理解し易くし、組み立てや取り付けを容易にし、修理も手間や隙もかけずに簡単にできるようにした。【００２７】  当発明の部品や装置一式を梱包したり持ち運ぶ時や、吐水口４付近で大きなものを扱う際に作動機構体Ａ９から突き出た操作自在管Ａ１３が邪魔になる場合は、操作自在管Ａ１３を手で曲げて突き出し部分を少なくすることができ、折りたためば手のひらに入るサイズになる。
以上が、本発明を実施するための最良の第一の形態である。
次に、本発明を実施するための最良の第一の形態の応用、改良、変化の案や例を以下に述べる。【００２８】１、カプセル体２の内部構造に関する案や例であり、図８の通りである。
（イ）カプセル体２内の吐水口４の上に、吐水口４と同じ径で、開閉栓７との間で効果的な止水が実現可能な材質からなるリング４１を重ね合わせて設ける。
（ロ）カプセル体２内の高さの半分以上の高さを持つ仕切り板４２を４枚、リング４１の開口部縁より少し外側の位置から、リング４１の中心より外側に向かって放射状に９０度の等間隔で直立させてカプセル体２の内壁に固定して設け、仕切り板４２のリング４１側の面にはリング４１の中心部に向かって下る急傾斜面Ｂ４３を設ける。
（ハ）カプセル体２内に開閉栓７の円球を遊挿する。開閉栓７は仕切り板４２の急傾斜面Ｂ４３に囲まれた中を上下に自由に動く。
（ニ）リング４１は吐水口４の一部分を構成し、開閉栓７が嵌り込んだときに完全に止水する機能を持つ。
（ホ）仕切り板４２は、カプセル体２内の水流を円滑にし、開閉栓７の上下方向以外の動きを制御しながら、上下方向の動きを滑らかにしてリング４１に確実に嵌め込む機能を持つ。
これにより、本発明の実施するための最良の第一の形態と同様の作用効果が得られる。【００２９】  ２、開閉栓７の形状と設置方法に関する案や例であり図９の通りである。
（イ）吐水口を開閉する曲面を有する開閉栓７として、本発明の実施するための最良の第一の形態の円球の他には円錐形４４も有効である。又、円球と円錐形と円筒形や円球の一部分を用いる準円球を組み合わせた合体形である円錐形と円球４５、円錐形と準円球４６、円筒形と円球４７、円筒形と準円球４８、円筒形と円錐形４９等も有効である。
（ロ）円球を含む合体形の場合、円球の径は吐水口４の径よりやや大き目が条件である。また準円球や円錐形４４の場合は、その形状にもよるが、常に吐水口に嵌め込まれている大きさであることが条件である。
（ハ）これらの形状物は図９の通り、吐水口４上に置いてもぶら下げても嵌め込みができるので、円球の場合に比べてカプセル体２や吐水口４の形態が多様になり、その操作方法も多様となる。
これにより、本発明の実施するための最良の第一の形態と同様の作用効果が得られる。【００３０】  ３、開閉栓７の操作方法に関する案や例であり、図１０から図１４の通りである。
（イ）図１０は、中継桿１６を設けず、昇降金属３３の三角形の向きが昇降桿３２と逆の案である。即ち、昇降桿３２の形に似た桿Ａ５０を設け、先端部の一方を操作桿Ａ１２に屈曲可動材Ｅ５１で接合し、もう一方の先端部は昇降金属棒３４と同じ経路で受皿３７につながる。この桿Ａ５０に昇降金属３３に似た三角形を昇降桿３２の場合とは向きを逆に、即ち、操作桿Ａ１２側に頂点を持って横倒しになった状態に固定し、垂れ下がった傾斜面の操作桿Ａ１２側の下に、丸管２５に相当する管Ａ５２を作動機構体Ａ９の壁に固定して設ける。操作桿Ａ１２が押されると桿Ａ５０も引かれ昇降金属３３が管Ａ５２に下方の傾斜面を押されて上昇する。桿Ａ５０は操作桿Ａ１２に直接接合しているために操作桿Ａ１２を押すと受皿３７は上昇すると共に操作桿Ａ１２側に引かれる、即ち横方向にも移動するので、受皿３７の位置は開閉栓７の真下ではなく吐水口４の外側から見える開閉栓７の表面の操作桿Ａ１２から遠い部分に置く。【００３１】（ロ）図１１は、有歯板と楕円形金属を用いて桿を押し上げる案である。即ち、細長い板状の金属板の薄く細長い側面を上にして、そこに歯車の歯にかみ合う歯をきざんだ有歯板Ａ５３を設け、先端部の一方を操作桿Ａ１２に屈曲可動材Ｆ５４で接合し、もう一方の先端部は作動機構体Ａ９のカプセル体２側の内壁にあけた有歯板Ａ穴５５に挿入されその中で自由にピストン運動する。楕円形金属５６を設けて横にして、一方の先端部を歯車Ａ５７の軸に固定し、歯車Ａ５７の歯を有歯板Ａ５３の歯に噛み合わせる。歯車Ａ５７とその軸は固定されているが、歯車Ａ５７の軸が回転できるように軸と芯を分離し、芯を作動機構体Ａ９の壁に固定する。楕円形金属５６の真上に昇降桿３２から昇降金属３３を取り除いただけで、その他は昇降桿３２と同じ形態をした桿Ｂ５８を有歯板Ａ５３と平行に置く。操作桿Ａ１２が押されて有歯板Ａ５３が引かれ、歯車Ａ５７が回転すると横になっていた楕円形金属５６も回転して楕円形金属５６の固定されていないもう一方の先端部が徐々に立ち上がり、桿Ｂ５８に接触して押し上げる。【００３２】（ハ）図１２は、輪とベルトを用いて桿を引き上げる案である。即ち、桿Ｂ５８に接しない程度の上方の位置に輪Ａ５９を設け、輪Ａ５９とその軸Ａ６０は固定されているが、その軸Ａ６０が回転できるように、軸Ａ６０と芯を分離し、芯を作動機構体Ａ９の壁に固定し、軸Ａ６０と桿Ｂ５８をベルトＡ６１で結ぶ。輪Ａ５９はベルトＢ６２で操作桿Ａ１２に結ぶ。操作桿Ａ１２が押されるとベルトＢ６２が引かれて輪Ａ５９が回転し、軸Ａ６０も回転してベルトＡ６１が巻かれて桿Ｂ５８を上に引き上げる。【００３３】（ニ）図１３は、管とベルトを用いて桿を引き上げる案である。即ち、上記（ハ）の輪Ａ５９に代えて管Ｂ６３を作動機構体Ａ９の壁に固定して設け、操作桿Ａ１２から管Ｂ６３の外側を回して桿Ｂ５８迄をベルトＣ６４で結ぶ。管Ｂ６３が回転できるように、その芯を管と分離して作動機構体Ａ９の壁に固定する。操作桿Ａ１２が押されるとベルトＣ６４が引かれて管Ｂ６３を回転させて桿Ｂ５８を上に引き上げる。ベルトＡ６１、ベルトＢ６２、ベルトＣ６４の材質はワイヤ、ロープ、ベルトなど耐久性を有するものとする。【００３４】（ホ）図１４は、カプセル体２内で直接、開閉栓７を引き上げる案である。本発明では、構造を出来るだけ簡素化して作動部品や装置を使用者が目視できて容易に理解し修理も自分でできることで、節水意識を高めてもらう目的もあり、カプセル体２内には開閉栓７以外一切入れず、開閉栓７への操作手段はカプセル体２に連接して設けた操作桿Ａ１２をはじめとする作動機構体Ａ９で行うようにしている。これを開閉栓７への操作をカプセル体２内で直接行う場合は、カプセル体２と開閉栓７の機能があるので開閉栓７を吐水口４上から一時的に取り除く操作ができればよく、作動機構体Ａ９の機能のうち操作桿Ａ１２と流水量桿１５と流放桿１７はそのまま必要だが、中継桿１６と昇降桿３２は不要となる。即ち、カプセル体２の外壁に漏水しないカプセル外壁穴６５を設け、ここからワイヤ等Ａ６６をカプセル体２内に入れ開閉栓７に直接固定し、もう一方の先端部を作動機構体Ａ９に軸を固定した輪Ｂ６７経由で操作桿Ａ１２に結ぶ。操作桿Ａ１２が押されて振り子運動をするとワイヤ等Ａ６６が引かれ、輪Ｂ６７が回転し、カプセル外壁穴６５を経由して開閉栓７が吐水口４上から取り除かれて吐水し、操作桿Ａ１２を押す手を戻すと操作桿Ａ１２も戻り開閉栓７が吐水口４に嵌り止水する。カプセル外壁穴６５はカプセル体２の壁のどこに設けてもよい。この他に操作桿Ａ１２を操作して、カプセル外壁穴６５を経由して棒状のものをカプセル体２内に挿入して直接開閉栓７を吐水口４上から押したり引いたり払ったりして取り除いたり、カプセル体２の内か外で磁石を用いて取り除くなども有効である。
以上の各案により、本発明の実施するための最良の第一の形態と同様の作用効果が得られる。【００３５】  ４、操作自在管Ａ１３の形状と着脱に関する案や例であり、図は図２４の操作桿ソケット図である。
操作自在管Ａ１３の先端部が触れる使用者の体は手の指、甲、手首、腕など水作業内容と使用者の好みによりその範囲は広く、実際の使用に際しては多くの使用形態が考えられる。それらに対応するために作動機構体Ａ９の底部を突き出た位置で着脱自在の操作桿ソケット６８を操作桿Ａ１２の先端部に設けて、下記の様な多様な操作自在管Ａ１３を簡単に交換できるようにする。これにより、多様な使用形態に自在に対応でき、使用者の指や腕等のいろんな部分で操作できるようにする。
（イ）各種の長さ、太さや硬さを選択できるようにする。
（ロ）１本だけでなく先端部を複数の股管にしたり、先端部だけではなく操作自在管Ａ１３の途中にも各種の枝管等を設ける。
（ハ）上記（ロ）の使用者の体が触れる部分は管状だけでなく、円球や平面状や皿状や風船状など、使い易さと安全にも配慮した形状のものを設ける。
（ニ）材質は金属、プラスチック、ゴム、柔軟材等を用いる。
これにより本発明の実施するための最良の第一の形態と同様の作用効果が得られる。【００３６】  ５、作動機構体Ａ９を高い位置に移動する案や例であり、図１５の通りである。
本発明では、操作自在管Ａ１３の作動機構体Ａ９からの突き出しが大きくなり、吐水口４近傍で大きな水作業対象物を使用する場合に支障のおそれもあるために、操作自在管Ａ１３を先端部に使用して対応しているが、本案は作動機構体Ａ９全体をより高い位置に移動するものである。
（イ）中継桿１６と昇降桿３２をそっくりそのまま作動機構体Ａ９の上部に移動する。中継桿１６の一方の先端部は貫通孔２４に挿入されるのは同じであるが、もう一方の先端部の枝管２３は作動機構体Ａ９のカプセル体２側の側壁にあけた枝管穴Ｂ６９に挿入され、その中で枝管２３が自由にピストン運動する。昇降桿３２の昇降金属棒３４の一方の先端部は作動機構体Ａ９内のカプセル体２側の側壁の手前で直角に折れて真っ直ぐに下方に降り、吐水管６の高さで開閉栓７の方向に再び直角に折れて受皿３７に至り、もう一方の先端部は昇降棒３２と同じ形態である。
（ロ）流水量桿１５と流放桿１７は、上記（イ）に伴い、各々そのままそっくり上部に移動する。
これにより、本発明の実施するための最良の第一の形態と同様の作用効果が得られる。【００３７】  ６、操作桿Ａ１２の配置場所に関する案や例であり、図１６から図２５までの通りである。
使用者が水作業を行う場合、例えば水飲みや手洗いや顔洗いや歯磨きなどの比較的単純な作業の場合には、利き腕が操作桿Ａ１２に接触する方が作業し易いようである。しかし、より複雑な食器洗いや食材を洗う作業の場合などでは、洗いものを利き腕ではない方で持ち、利き腕は洗い物を洗うなどの複雑な役目を担う場合が多く、そうなると操作桿Ａ１２は利き腕側ではない腕で接触し操作する方が作業し易い利用者も多いはずである。したがって、あらゆる使用者の水作業内容や利き腕等に対応できて、使いやすい操作自在管Ａ１３の配置場所を提供する。その変化に関しては下記の各案や例の通りである。
（イ）図１６は、カプセル体２の殆どを回転する案である。即ち、カプセル体２を水道管吐水口１に固定されたカプセル体上部Ａ７０と、作動機構体Ａ９が連接されたカプセル体下部Ａ７１の上下２つに分離する。この２つはカプセル着脱具５自体かその直下部において分離し、その分離帯Ａ７２にて漏水することなく組み合わされ、カプセル体下部Ａ７１が自由に回転できる。操作自在管Ａ１３の位置を変更する時はカプセル体下部Ａ７１を作動機構体Ａ９と一体で希望する位置に回転する。【００３８】（ロ）図１７は、カプセル体２の下半分を回転する案である。即ち、カプセル体２の中ほどの高さ付近で水道管吐水口１に固定されたカプセル体上部Ｂ７３と、作動機構体Ａ９が連接されたカプセル体下部Ｂ７４の上下２つに分離する。この２つは分離帯Ｂ７５にて漏水することなく組み合わされ、カプセル体下部Ｂ７４が自由に回転できる。操作自在管Ａ１３の位置を変更する時は、カプセル体下部Ｂ７４を作動機構体Ａ９と一体で希望する位置に回転する。【００３９】（ハ）図１８は、作動機構体Ａ９だけを回転する案である。即ち、カプセル体２から作動機構体Ａ９を分離し、カプセル体２の中ほどの高さにカプセル体２の周囲を自由に回転できる回転リング７６を設け作動機構体Ａ９に固定する。また、吐水管６も回転できるようにして作動機構体Ａ９に固定する。操作自在管Ａ１３の位置を変更する時は作動機構体Ａ９と吐水管６を同時に希望する位置に回転する。なお、上記の（ロ）と当案の場合、カプセル体２は円系統で左右対称形だと回転しやすく、且つ回転前後のカプセル体２の姿が不変である。【００４０】（ニ）図１９と図２０は、操作桿Ａ１２に相当するものをもう１本増設するが、作動機構体Ａ９は増設しないので、増設した操作桿の操作内容はワイヤによって既存の操作桿Ａ１２に伝達、作動する案である。即ち、
（Ａ）カプセル体２の作動機構体Ａ９と反対側の外壁の上部に先端部の一方が固定され、水平に外側に突き出た短い挿入管Ａ７７を設け、もう一方の先端部は管の穴が開いたままにする。
（Ｂ）先端部の一方を挿入管Ａ７７の穴に挿入した水平な棒状の操作桿支持棒Ｂ７８の、もう一方の先端部は屈曲可動材Ｇ７９で接合され、そこからまっすぐ垂直に下方に伸びて、吐水口４の近傍まで先端部が至る操作桿Ｂ８０を設け、先端部には操作自在管Ｂ８１を設ける。
（Ｃ）操作桿Ｂ８０のカプセル体２側の吐水管６の付け根付近と同じ高さに丸金具Ａ８２を設け、そこから水平に、使用者から見てカプセル体２の外壁に添って裏側に回り、そのまま作動機構体Ａ９の裏側外壁のカプセル体２から最も遠い場所に開けたワイヤ穴８３に至る迄、両先端部にフック８４を設けたワイヤ等Ｂ８５を管内に通したワイヤ金属管８６を設ける。ワイヤ金属管８６はカプセル体２の裏側に設けたワイヤ金属管固定台８７に取り外し可能で固定され、これを頂点にして丸金具Ａ８２とワイヤ穴８３の間を各々直線で結ぶ。
（Ｄ）ワイヤ穴８３から作動機構体Ａ９内に入り、水平に進んだ中間地点に横に倒した輪Ｃ８８を設け、その軸を壁に固定する。操作桿Ａ１２の輪Ｃ８８側で輪Ｃ８８と同じ高さの位置に丸金具Ｂ８９を設ける。丸金具Ａ８２から丸金具Ｂ８９の間の部品や装置は全て水平に設けられ、２つのフックを含めたワイヤ等Ｂ８５の長さは丸金具Ａ８２と丸金具Ｂ８９間の距離とする。
（Ｅ）操作自在管Ｂ８１を使用する時に主として接触する手は常識的には操作自在管Ａ１３を使用する場合と逆であるが、これはあくまでも使用者の選択による。先ずワイヤ金属管８６をワイヤ金属管固定台８７に固定し、丸金具Ａ８２と丸金具Ｂ８９にフック８４を取り付けてから、操作自在管Ｂ８１を押すとワイヤ金属管８６の中のワイヤ等Ｂ８５が引っ張られ、輪Ｃ８８を回して丸金具Ｂ８９を引っ張り、操作桿Ａ１２を引く。未使用時にはフック８４だけを外して他の部品はそのままにしてもよいし、フック８４を外し、ワイヤ金属管固定台８７からワイヤ金属管８６を外し、挿入管Ａ７７から操作桿支持棒Ｂ７８を外すこともできる。【００４１】（ホ）図２１は、操作桿Ａ１２に相当するものをもう１本増設する２つ目の案である。上記（ニ）と同じく作動機構体Ａ９は増設しないので、本案は増設した操作桿の操作内容を棒によって既存の操作桿Ａ１２に伝達、作動する案である。即ち、
（Ａ）上記（ニ）の（Ａ）（Ｂ）に同じ。
（Ｂ）屈曲可動材Ａ１１から垂直に上方向に短い挿入管Ｂ９０を設け、これに先端部の一方を挿入し垂直に上方向に作動機構体Ａ９の天井部分を突き出て水道管の上端部まで一直線に延長した操作桿Ａ延長棒９１を設け、その先端部にはカプセル体２の反対側に向けて上から下りる急傾斜面の真ん中に縦に凹型溝９２を設けた操作桿Ａ金属片９３を設ける。操作桿Ａ延長棒９１は使用の都度挿入管Ｂ９０に挿入し、未使用時は取り外すことができる。作動機構体Ａ９の天井部分には操作桿Ａ延長棒９１からカプセル体２側に向けて長方形穴９４を設け、操作桿Ａ延長棒９１はその中を自由に振り子運動する。
（Ｃ）操作桿Ｂ８０を屈曲可動材Ｇ７９から垂直に上部方向に水道管の上端部まで一直線に延長した操作桿Ｂ延長棒９５を設け、そこから曲がり、操作桿Ａ延長棒９１方向に伸びた操作桿ＡＢ連絡棒９６を設け、操作桿Ａ延長棒９１先端の操作桿Ａ金属片９３の真上部分に輪Ｄ９７を設け、輪Ｄ９７を凹型溝９２に嵌め込む。
（Ｄ）操作自在管Ｂ８１を使用する時に主として接触する手は常識的には操作自在管Ａ１３を使用する場合と逆であるが、これはあくまでも使用者の選択による。操作自在管Ｂ８１を押すと屈曲可動材Ｇ７９を支点として操作桿Ｂ延長棒９５の先端部がカプセル体２方向に倒され、操作桿ＡＢ連絡棒９６を操作桿Ａ延長棒９１方向に移動させ、輪Ｄ９７を下に押し、操作桿Ａ金属片９３を凹型溝９２に沿って押し下げ、操作桿Ａ１２を押した形になり吐水する。【００４２】（ヘ）図２２は、操作自在管Ａ１３に円形の操作管を設ける。即ち、操作自在管Ａ１３の先端部を通ってカプセル体２を中心にした円を描く円形操作管９８を設け、操作自在管Ａ１３に固定する。これにより、左右の手で円形操作管９８のいろんな個所を押したり引いたりできるので、それだけ操作桿Ａ１２を操作できる範囲が拡大し、図１９から図２１に記載の操作桿Ｂ８０を設けなくても左右の手をより自由に使うことが出来る。また、円形操作管９８を操作自在管Ａ１３に固定したまま、図１６から図１８のように作動機構体Ａ９をいろんな角度に回転すると、左右の手で押したり引いたりできる動作の向きがいろいろと変化できる。【００４３】（ト）図２３は、操作自在管Ａ１３に半円形の操作管を設ける。即ち、操作自在管Ａ１３と操作自在管Ｂ８１を基点または終点としてカプセル体２の下に半円を描き、操作自在管Ａ１３に固定した半円形操作管９９に置き換えても同様の効果があるが、この場合半円の円弧部や開口部をどの位置にするかは使用者の好みで選択する。またこの状態で操作桿Ａ１２をいろんな角度に回転させると、左右の手で押したり引いたりできる動作の向きがいろいろと変化できるのは円形操作管９８と同じである。上記（ヘ）と本案は円形や半円形を波状等の高低差を持たせたり、楕円形等に多様に変形できる。【００４４】（チ）図２４は、作動機構体Ａ９のもう一つの外壁にも同じ窓を設ける。即ち、上記（イ）（ロ）（ハ）（ヘ）（ト）により作動機構体Ａ９が１８０度近く回転すると、流水量桿窓Ａ２１と流放桿窓Ａ３０が裏返しになるので作動機構体Ａ９の裏側の外壁にも、流水量桿窓Ｂ１００と流放桿窓Ｂ１０１を各１個設ける。
（Ａ）流水量桿窓Ｂ１００は流水量桿窓Ａ２１と大きさを同じくして設け、流水量桿ネジ２０の姿を窓の外にあらわす。
（Ｂ）流放桿窓Ｂ１０１は流放桿窓Ａ３０と大きさを同じくして設け、流放桿１７の流放桿つまみＡ２９の反対側に全く同じく流放桿つまみＢ１０２を追加して設け、流放桿窓Ｂ１０１の窓の外壁の上下の縁に流放桿固定釘Ａ３１と全く同じく流放桿固定釘Ｂ１０３を設ける。
（Ｃ）流水量桿窓Ｂ１００と流放桿窓Ｂ１０１の使用方法は、流水量桿窓Ａ２１と流放桿窓Ａ３０に同じである。流水量桿窓Ａ２１と流水量桿窓Ｂ１００、流放桿窓Ａ３０と流放桿窓Ｂ１０１は左右の向きがＡとＢ逆の左右対称形となる。図２４の流水量桿窓Ｂ１００と流放桿窓Ｂ１０１は図７の流水量桿窓Ａ２１と流放桿窓Ａ３０をそっくり裏返した形になる。【００４５】（リ）図２５は、作動機構体Ａ９を増設する。即ち、もう１つの作動機構体Ｂ１０４をカプセル体２を真ん中にして、そっくり作動機構体Ａ９の反対側に設ける。作動機構体Ｂ１０４の仕組みや使用方法は作動機構体Ａ９に同じである。これにより左右どちらの手でも水作業が可能となる。
これにより、本発明の実施するための最良の第一の形態と同様の作用効果が得られる。【００４６】  ７、流放桿１７の構造に関する案や例であり、図２６と図２７の通りである。
流放桿１７を細長い板状の金属板の薄く細長い側面を上にして歯車の歯に噛み合う歯を設けた有歯板Ｂ１０５に変更するが、両先端部は流放桿１７に同じである。歯車Ｂ１０６を有歯板Ｂ１０５の歯に噛み合わせ、歯車Ｂ１０６の軸Ｂ１０７を作動機構体Ａ９の表裏外壁の内側に設けた挿入管Ｃ１０８と挿入管Ｄ１０９の穴に挿入する。軸Ｂ１０７内部は中空でネジ構造になっていて、表裏外壁の外までつながり、作動機構体Ａ９の表裏外壁上でダイヤルＡ１１０とダイヤルＢ１１１が各々ネジで取り付けられている。即ち、ダイヤルＡ１１０とダイヤルＢ１１１は１本の軸Ｂ１０７の両端に取り付けられている。操作桿Ａ１２が振り子運動すると有歯板Ｂ１０５も引かれて横に移動して歯車Ｂ１０６を回転させる。希望の流し放しの吐水量地点でＡ、Ｂいずれかのダイヤルを回すとネジで軸Ｂ１０７が締め付けられて作動機構体Ａ９の外壁を押さえつけ、その地点で有歯板Ｂ１０５が固定され、操作桿Ａ１２も固定される、即ち流し放し状態になる。流し放し状態を解除するには締め付けたダイヤルを緩めると固定状態が解かれ、操作桿Ａ１２が元の垂直状態に戻り、自動的に止水する。この案では流放桿つまみＡ２９と流放桿固定釘Ａ３１は不要である。
これにより、本発明の実施するための最良の第一の形態と同様の作用効果が得られる。【００４７】  ８、本発明は、水道管吐水口１に取り付けできることを前提としたが、本水栓化にも対応できる。
【産業上の利用可能性】
【００４８】  本発明は、水栓装置を製造する産業等で利用される。
【図面の簡単な説明】
【００４９】
【図１】本発明の図３におけるＡ−Ａ線の全体の断面図。
【図２】本発明の全体の斜視図。
【図３】本発明の全体の側面図。
【図４】本発明の全体の正面図。
【図５】本発明の図３におけるＡ−Ａ線の吐水管穴の止水板断面図。
【図６】本発明の作動機構体の斜め透視図。
【図７】本発明の図３におけるＡ−Ａ線の作動機構体の断面説明図。
【図８】本発明の応用、改良、変化の案と例図・カプセル体の内部構造のＡ−Ａ線断面図。
【図９】同上・開閉栓の形状と設置方法の説明図。
【図１０】同上・開閉栓の操作方法  １、昇降金属の向きが逆のＡ−Ａ線断面図。
【図１１】同上・開閉栓の操作方法  ２、有歯板と楕円形金属を用いたＡ−Ａ線断面図。
【図１２】同上・開閉栓の操作方法  ３、輪とベルトを用いたＡ−Ａ線断面図。
【図１３】同上・開閉栓の操作方法  ４、管とベルトを用いたＡ−Ａ線断面図。
【図１４】同上・開閉栓の操作方    ５、カプセル体内部で操作するＡ−Ａ線断面図。
【図１５】同上・作動機構体を高い位置に移動するＡ−Ａ線断面図。
【図１６】同上・操作桿の位置  １、カプセル体の殆どを回転するＡ−Ａ線断面図。
【図１７】同上・操作桿の位置  ２、カプセル体の下半分を回転するＡ−Ａ線断面図。
【図１８】同上・操作桿の位置  ３、作動機構体を回転するＡ−Ａ線断面図。
【図１９】同上・操作桿の位置  ４、操作桿増設、ワイヤで伝達するＡ−Ａ線断面図。
【図２０】同上・操作桿の位置  ５、図１９におけるＢ−Ｂ線平面図。
【図２１】同上・操作桿の位置  ６、操作桿増設、棒で伝達するＡ−Ａ線断面図。
【図２２】同上・操作桿の位置  ７、円形操作管の斜視図。
【図２３】同上・操作桿の位置  ８、半円形操作管の斜視図。
【図２４】同上・操作桿の位置  ９、作動機構体の裏壁にも窓を設けたＡ−Ａ線の作動機構体の断面説明図。
【図２５】同上・操作桿の位置１０、作動機構体を反対側に増設した全体の正面図。
【図２６】同上・流放桿の構造  １、有歯板を用いたＡ−Ａ線断面図。
【図２７】同上・流放桿の構造  ２、図２６におけるＣ−Ｃ線断面図。
【符号の説明】
【００５０】    １、水道管吐水口                ２、カプセル体
３、受水口                      ４、吐水口
５、カプセル着脱具              ６、吐水管
７、開閉栓                      ８、急傾斜面Ａ
９、作動機構体Ａ              １０、操作桿支持棒Ａ
１１、屈曲可動材Ａ              １２、操作桿Ａ
１３、操作自在管Ａ              １４、操作桿バネ
１５、流水量桿                  １６、中継桿
１７、流放桿                    １８、屈曲可動材Ｂ
１９、流水量桿穴                ２０、流水量桿ネジ
２１、流水量桿窓Ａ              ２２、金属枠
２３、枝管                      ２４、貫通孔
２５、丸管                      ２６、枝管穴Ａ
２７、屈曲可動材Ｃ              ２８、流放桿穴
２９、流放桿つまみＡ            ３０、流放桿窓Ａ
３１、流放桿固定釘Ａ            ３２、昇降桿
３３、昇降金属                  ３４、昇降金属棒
３５、昇降桿穴                  ３６、吐水管穴
３７、受皿                      ３８、昇降桿枝管
３９、屈曲可動材Ｄ              ４０、止水板
４１、リング                    ４２、仕切り板
４３、急傾斜面Ｂ                ４４、円錐形
４５、円錐形と円球              ４６、円錐形と準円球
４７、円筒形と円球              ４８、円筒形と準円球
４９、円筒形と円錐形            ５０、桿Ａ
５１、屈曲可動材Ｅ              ５２、管Ａ
５３、有歯板Ａ                  ５４、屈曲可動材Ｆ
５５、有歯板Ａ穴                ５６、楕円形金属
５７、歯車Ａ                    ５８、桿Ｂ
５９、輪Ａ                      ６０、軸Ａ
６１、ベルトＡ                  ６２、ベルトＢ
６３、管Ｂ                      ６４、ベルトＣ
６５、カプセル外壁穴            ６６、ワイヤ等Ａ
６７、輪Ｂ                      ６８、操作桿ソケット
６９、枝管穴Ｂ                  ７０、カプセル体上部Ａ
７１、カプセル体下部Ａ          ７２、分離帯Ａ
７３、カプセル体上部Ｂ          ７４、カプセル体下部Ｂ
７５、分離帯Ｂ                  ７６、回転リング
７７、挿入管Ａ                  ７８、操作桿支持棒Ｂ
７９、屈曲可動材Ｇ              ８０、操作桿Ｂ
８１、操作自在管Ｂ              ８２、丸金具Ａ
８３、ワイヤ穴                  ８４、フック
８５、ワイヤ等Ｂ                ８６、ワイヤ金属管
８７、ワイヤ金属管固定台        ８８、輪Ｃ
８９、丸金具Ｂ                  ９０、挿入管Ｂ
９１、操作桿Ａ延長棒            ９２、凹型溝
９３、操作桿Ａ金属片            ９４、長方形穴
９５、操作桿Ｂ延長棒            ９６、操作桿ＡＢ連絡棒
９７、輪Ｄ                      ９８、円形操作管
９９、半円形操作管            １００、流水量桿窓Ｂ
１０１、流放桿窓Ｂ              １０２、流放桿つまみＢ
１０３、流放桿固定釘Ｂ          １０４、作動機構体Ｂ
１０５、有歯板Ｂ                １０６、歯車Ｂ
１０７、軸Ｂ                    １０８、挿入管Ｃ
１０９、挿入管Ｄ                １１０、ダイヤルＡ
１１１、ダイヤルＢ
【図１】
2009046951.tif 000003
【図２】
2009046951.tif 000004
【図３】
2009046951.tif 000005
【図４】
2009046951.tif 000006
【図５】
2009046951.tif 000007
【図６】
2009046951.tif 000008
【図７】
2009046951.tif 000009
【図８】
2009046951.tif 000010
【図９】
2009046951.tif 000011
【図１０】
2009046951.tif 000012
【図１１】
2009046951.tif 000013
【図１２】
2009046951.tif 000014
【図１３】
2009046951.tif 000015
【図１４】
2009046951.tif 000016
【図１５】
2009046951.tif 000017
【図１６】
2009046951.tif 000018
【図１７】
2009046951.tif 000019
【図１８】
2009046951.tif 000020
【図１９】
2009046951.tif 000021
【図２０】
2009046951.tif 000022
【図２１】
2009046951.tif 000023
【図２２】
2009046951.tif 000024
【図２３】
2009046951.tif 000025
【図２４】
2009046951.tif 000026
【図２５】
2009046951.tif 000027
【図２６】
2009046951.tif 000028
【図２７】
2009046951.tif 000029